(57)【特許請求の範囲】
【請求項１】
映像源から投影された映像光を反射させて観察可能に表示する反射スクリーンであって、
基材層と、
前記基材層の映像源側に、少なくとも一部に略球形の一部形状である曲面を有する微細な凸形状が、略一様な分布密度で互いに隣接しながら不規則に複数形成された凹凸形状部とを備え、
前記凹凸形状部の前記凸形状は、スクリーン面の法線方向から見た外形の径が、０．５〜４．０μｍであり、
前記凹凸形状部は、その表面の算術平均粗さＲａ（ＪＩＳ  Ｂ０６０１−２００１）が、０．４２〜０．５２μｍであり、
前記基材層に前記凹凸形状部が形成された状態における全光線透過率が９０％以上であり、ヘイズ値が６８〜７２％であること、
を特徴とする反射スクリーン。
【請求項２】
請求項１に記載の反射スクリーンにおいて、
前記曲面の曲率半径は、略一定であること、
を特徴とする反射スクリーン。
【請求項３】
請求項１又は請求項２に記載の反射スクリーンにおいて、
前記凹凸形状部は、電離放射線硬化樹脂により形成されていること、
を特徴とする反射スクリーン。
【請求項４】
請求項１から請求項３までのいずれか１項に記載の反射スクリーンにおいて、
前記凹凸形状部より背面側に、樹脂層を備え、
前記樹脂層は、スクリーン面に対して直交する断面において、光を透過可能であり略台形形状である光透過部と、光を吸収する作用を有しており前記光透過部の屈折率よりも小さい屈折率を有する光吸収部とが、スクリーン面に沿って交互に配列されていること、
を特徴とする反射スクリーン。
【請求項５】
請求項１から請求項４までのいずれか１項に記載の反射スクリーンにおいて、
背面側に設けられ、前記映像光を反射する反射層と、
前記反射層の映像源側に設けられ、前記反射層の映像源側の表面に形状を賦形する賦形層と、
を有し、
前記賦形層は、スクリーン面に直交する方向における断面の断面形状が、スクリーン面に対して直交するとともに前記断面と直交する方向に同一断面形状で延在し、かつ、前記断面と同一の方向に多数並べて配置された単位表面形状を前記反射層側の表面に有していること、
を特徴とする反射スクリーン。
【請求項６】
請求項１から請求項５までのいずれか１項に記載の反射スクリーンと、
前記反射スクリーンに、観察面側から映像光を投射する映像源と、
を備える映像表示システム。
【請求項７】
請求項１から請求項５までのいずれか１項に記載の反射スクリーンの製造方法であって、
前記凹凸形状部は、電離放射線硬化樹脂を用いて形成されており、
その表面に前記凹凸形状部の逆型を有する成形型に電離放射線硬化樹脂を塗布し、電離放射線を照射して硬化させることにより前記凹凸形状部を形成すること、
を特徴とする反射スクリーンの製造方法。
【請求項８】
請求項７に記載の反射スクリーンの製造方法において、
前記成形型の表面に形成された前記凹凸形状部の逆型は、略真球形状の粒子を前記成形型の表面にブラストすることにより形成されていること、
を特徴とする反射スクリーンの製造方法。
【請求項９】
請求項８に記載の反射スクリーンの製造方法において、
前記粒子は、ガラスビーズであること、
を特徴とする反射スクリーンの製造方法。
【発明の詳細な説明】
【技術分野】
【０００１】
本発明は、反射スクリーン、映像表示システム、反射スクリーンの製造方法に関するものである。
【背景技術】
【０００２】
映像光を反射させて観察可能に表示する反射スクリーンは、会議や家庭用のホームシアター等において広く利用されており、コントラストの向上や輝度向上を図った様々な反射スクリーンが開発されてきている（例えば、特許文献１及び特許文献２）。
【先行技術文献】
【特許文献】
【０００３】
【特許文献１】特開２００２−３１１５０７号公報
【特許文献２】特開２００８−４０１５３号公報
【発明の概要】
【発明が解決しようとする課題】
【０００４】
しかし、特許文献１のような従来の反射スクリーンは、通常暗室環境下で使用されることを想定しており、照明の点いた室内での使用には適しておらず、室内照明や窓からの太陽光等の不要な光（以下、このような光を外光という）が多い場所では、コントラストが著しく低下するという問題があった。照明の点いた屋内のような明室環境下であっても、よりコントラストが高く、高輝度な映像を表示したいという欲求は、反射スクリーンに対して常に要求されることである。
また、反射スクリーンの観察面側の表面の形状等によっては、反射する映像光のうち正反射する成分が多くなり、スクリーンの一部が他の部分よりも明るく見えるホットスポット等が生じたり、外光が観察者側へ反射されて映像のコントラストが低下したりする等の問題が生じる場合がある。特許文献２の反射スクリーンは、その表面に微細な凹凸形状が形成されているが、その形状に関する詳細な開示はなく、ホットスポットやコントラスト低下に対して具体的な改善がなされていない。
【０００５】
本発明の課題は、コントラストが高く、光源の映りこみのない、画質の良好な反射スクリーン、その反射スクリーンを備える映像表示システム、反射スクリーンの製造方法を提供することである。
【課題を解決するための手段】
【０００６】
本発明は、以下のような解決手段により、前記課題を解決する。なお、理解を容易にするために、本発明の実施形態に対応する符号を付して説明するが、これに限定されるものではない。
請求項１の発明は、映像源（ＬＳ）から投影された映像光（Ｌ１，Ｌ２）を反射させて観察可能に表示する反射スクリーンであって、基材層と、前記基材層の映像源側に、少なくとも一部に略球形の一部形状である曲面を有する微細な凸形状（１１１）が、略一様な分布密度で互いに隣接しながら不規則に複数形成された凹凸形状部（１１）とを備え、前記凹凸形状部の前記凸形状は、スクリーン面の法線方向から見た外形の径が、０．５〜４．０μｍであり、前記凹凸形状部は、その表面の算術平均粗さＲａ（ＪＩＳ  Ｂ０６０１−２００１）が、０．４２〜０．５２μｍであり、前記基材層に前記凹凸形状部が形成された状態における全光線透過率が９０％以上であり、ヘイズ値が６８〜７２％であること、
を特徴とする反射スクリーン（１０，２０）である。
請求項２の発明は、請求項１に記載の反射スクリーンにおいて、前記曲面の曲率半径は、略一定であること、を特徴とする反射スクリーン（１１，２０）である。
請求項３の発明は、請求項１又は請求項２に記載の反射スクリーンにおいて、前記凹凸形状部（１１）は、電離放射線硬化樹脂により形成されていること、を特徴とする反射スクリーン（１０，２０）である。
請求項４の発明は、請求項１から請求項３までのいずれか１項に記載の反射スクリーンにおいて、前記凹凸形状部（１１）より背面側に、樹脂層（１３）を備え、前記樹脂層は、スクリーン面に対して直交する断面において、光を透過可能であり略台形形状である光透過部（１４）と、光を吸収する作用を有しており前記光透過部の屈折率よりも小さい屈折率を有する光吸収部（１５）とが、スクリーン面に沿って交互に配列されていること、を特徴とする反射スクリーン（１０）である。
請求項５の発明は、請求項１から請求項４までのいずれか１項に記載の反射スクリーンにおいて、背面側に設けられ、前記映像光を反射する反射層と、前記反射層の映像源側に設けられ、前記反射層の映像源側の表面に形状を賦形する賦形層と、を有し、前記賦形層は、スクリーン面に直交する方向における断面の断面形状が、スクリーン面に対して直交するとともに前記断面と直交する方向に同一断面形状で延在し、かつ、前記断面と同一の方向に多数並べて配置された単位表面形状を前記反射層側の表面に有していること、を特徴とする反射スクリーンである。
【０００７】
請求項６の発明は、請求項１から請求項５までのいずれか１項に記載の反射スクリーン（１０，２０）と、前記反射スクリーンに映像光を投射する映像源（ＬＳ）と、を備える映像表示システムである。
【０００８】
請求項７の発明は、請求項１から請求項５までのいずれか１項に記載の反射スクリーンの製造方法であって、前記凹凸形状部（１１）は、電離放射線硬化樹脂を用いて形成されており、その表面に前記凹凸形状部の逆型を有する成形型に電離放射線硬化樹脂を塗布し、電離放射線を照射して硬化させることにより前記凹凸形状部を形成すること、を特徴とする反射スクリーンの製造方法である。
請求項８の発明は、請求項７に記載の反射スクリーンの製造方法において、前記成形型の表面に形成された前記凹凸形状部の逆型は、略真球形状の粒子を前記成形型の表面にブラストすることにより形成されているものを用いること、を特徴とする反射スクリーンの製造方法である。
請求項９の発明は、請求項８に記載の反射スクリーンの製造方法において、前記粒子は、ガラスビーズであること、を特徴とする反射スクリーンの製造方法である。
【発明の効果】
【０００９】
本発明によれば、以下の効果を奏することができる。
（１）本発明による反射スクリーンは、映像源側に、少なくとも一部に略球形の一部形状である曲面を有する微細な凸形状が、略一様な分布密度で互いに隣接しながら不規則に複数形成された凹凸形状部を備えるので、主に反射スクリーンの上方からの外光の一部を凹凸形状部によって正反射して反射スクリーンの下方へ進ませることできる。従って、外光によるコントラストの低下（黒浮き）を防止できる。
また、凹凸形状部は、少なくとも一部に略球形の一部形状である曲面を有する微細な凸形状が、略一様な分布密度で互いに隣接しながら不規則に複数形成されているので、反射スクリーンに投射された映像光が凹凸形状部によって拡散され、光源の映りこみ（ホットスポット）を低減することができる。
【００１０】
（２）曲面の曲率半径は、略一定であるので、凹凸形状部の凸形状は、その外形が略一様であって、高さ等のばらつきが小さい。従って、凹凸形状部による粗面を、むらの無いものとすることができ、コントラスト向上や光源の映りこみ低減効果をさらに高めることができる。
【００１１】
（３）凹凸形状部は、電離放射線硬化樹脂により形成されているので、電離放射線硬化樹脂を成形型に塗布して硬化させることによって凹凸形状部の表面形状を賦形することができ、賦形率の高い凹凸形状部を形成できる。従って、上方からの外光を反射スクリーンの下方へ正反射させる作用をより高めることができ、コントラスト向上を図ることができる。また、凹凸形状部の賦形率を高めることにより、拡散効果が高まり、光源の映りこみ低減効果を高めることができる。
【００１２】
（４）凹凸形状部より背面側に、樹脂層を備え、樹脂層は、スクリーン面に対して直交する断面において、光を透過可能であり略台形形状である光透過部と、光を吸収する作用を有しており光透過部の屈折率よりも小さい屈折率を有する光吸収部とが、スクリーン面に沿って交互に配列されている。従って、反射スクリーンに入射した映像光の少なくとも一部を光透過部と光吸収部との界面で全反射して反射層側へ進ませ、反射層で反射した後再び全反射する等によって観察者側に進ませることができる。また、主に反射スクリーンの上方から映像光に比べて比較的大きな入射角度で入射する照明光等の外光は、光透過部と光吸収部との界面に対して臨界角を超えない角度で入射するので、光吸収部へ入射して吸収される。これにより、映像の輝度を高め、外光によるコントラストの低下を防止できる。
【００１３】
（５）背面側に設けられ、映像光を反射する反射層と、反射層の映像源側に設けられ、反射層の映像源側の表面に形状を賦形する賦形層とを有し、賦形層は、スクリーン面に直交する方向における断面の断面形状が、スクリーン面に対して直交するとともに該断面と直交する方向に同一断面形状で延在し、かつ、該断面と同一の方向に多数並べて配置された単位表面形状を反射層側の表面に有しているので、反射面（反射層の映像源側の表面）に形状を賦形することができ、反射面の形状によって映像の視野角を制御することができ、その制御も賦形層の単位表面形状を変えることにより容易に行える。
【００１４】
（６）本発明による反射スクリーンと、反射スクリーンに映像光を投射する映像源とを備える映像表示システムであるので、コントラストが高く、光源の映りこみの無い、良好な映像を表示できる。
【００１５】
（７）本発明による反射スクリーンの製造方法であって、凹凸形状部は、電離放射線硬化樹脂を用いて形成されており、その表面に凹凸形状部の逆型を有する成形型に電離放射線硬化樹脂を塗布し、電離放射線を照射して硬化させることにより凹凸形状部を形成するので、凹凸形状部の凸形状を賦形率の高いものとすることができる。
【００１６】
（８）成形型の表面に形成された凹凸形状部の逆型が、略真球形状の粒子を成形型の表面にブラストすることにより形成されているので、凸形状の曲面がなだらかなものとなり、また、凸形状の分布の偏りを低減することができ、コントラスト向上効果や光源の映りこみ防止効果を高めることができる。
【００１７】
（９）粒子は、ガラスビーズであるので、入手が容易であり、安価で成形型を形成でき、反射スクリーンの製造コストを抑えることができる。
【図面の簡単な説明】
【００１８】
【図１】第１実施形態の映像表示システムを示す図である。
【図２】第１実施形態の凹凸形状部１１を示す図である。
【図３】第１実施形態の凹凸形状部１１、及び、従来例の１つであるサンドブラスによる凹凸形状部５１のスクリーン面に直交する方向での断面の一部を拡大して示した図である。
【図４】第１実施形態の反射スクリーン１０及びサンドブラストによる凹凸形状部５１を備える反射スクリーン５０を示す図である。
【図５】第２実施形態の反射スクリーン２０の層構成を示す図である。
【図６】変形形態の反射スクリーン３０を示す図である
【図７】賦形層の一例を示す図である。
【発明を実施するための形態】
【００１９】
以下、図面等を参照して、本発明の実施形態について説明する。
なお、図１を含め、以下に示す各図は、模式的に示した図であり、各部の大きさ、形状は、理解を容易にするために、適宜誇張している。
また、本明細書中に記載する各部材の寸法等の数値及び材料名等は、実施形態としての一例であり、これに限定されるものではなく、適宜選択して使用してよい。
【００２０】
（第１実施形態）
図１は、第１実施形態の映像表示システムを示す図である。
図１では、室内照明（外光源）Ｇ、映像源ＬＳ、反射スクリーン１０をまとめて模式的に示しているので、実際とは配置関係が異なる部分があり、また、各光線の入射角度等が後述の説明における大小関係とは異なる部分が含まれている。
映像表示システムは、反射スクリーン１０、映像源ＬＳを備えており、映像源ＬＳから投射された映像光を、反射スクリーン１０で反射し、その観察面（映像源ＬＳ側の面）上に表示する。
映像源ＬＳは、反射スクリーン１０の観察面へ観察者Ｏ側から映像光を投射するプロジェクター等である。
【００２１】
本実施形態の映像表示システムでは、映像光を投影する映像源ＬＳを、反射スクリーン１０の中央を通る法線に対して下方に設置し、図１に示すように、映像光Ｌ１，Ｌ２を、主に、正面方向や斜め上方へ投射させる配置としている。なお、これに限らず、反射スクリーン１０の中央に対して水平に映像光を投射する位置に映像源ＬＳを配置した映像表示システムとしてもよい。
そして、図１に示すように、室内照明Ｇは、天井等の室内の上方に配置されており、室内照明Ｇが発する照明光Ｇ１，Ｇ２等の不要な外光は、反射スクリーン１０に対して主に上方から入射する。
本実施形態の映像表示システム及びこれに用いられる反射スクリーン１０は、このような、環境光等が主に反射スクリーン１０の上方から入射する環境を考慮してなされたものである。
【００２２】
図１において、本実施形態の反射スクリーン１０は、スクリーン面に直交し、反射スクリーン１０の使用状態における垂直方向（画面上下方向）に平行な断面が示されている。
ここで、スクリーン面とは、反射スクリーン１０全体として見たときにおける、反射スクリーン１０の平面方向となる面を示すものであり、本明細書中、及び、特許請求の範囲においても同一の定義として用いている。
また、本明細書中において、垂直方向、水平方向とは、特に言及しない限り、反射スクリーン１０の使用状態における鉛直方向（即ち、画面上下方向）、水平方向（即ち、画面左右方向）であるとする。
さらに、本明細書中において、反射スクリーン１０の垂直方向での断面図とは、図１に示すように、スクリーン面に直交し、かつ、反射スクリーン１０の使用状態における垂直方向に平行な方向における断面図を示すものとする。
本実施形態の反射スクリーン１０は、その映像源ＬＳ側（観察面側）から順に、凹凸形状部１１、基材層１２、光透過部１４及び光吸収部１５を有する樹脂層１３、反射層１６、裏面保護層１７を備えている。
【００２３】
凹凸形状部１１は、反射スクリーンの映像源ＬＳ側（観察面側）に設けられており、少なくとも一部に略球形の一部形状を有する微細な凸形状１１１（図２及び図３参照）が、略一様な分布密度で互いに隣接しながら不規則に多数形成されている。
凹凸形状部１１は、ウレタンアクリレートやエポキシアクリレート等の紫外線硬化型樹脂を用いて、基材層１２の片面（光透過部１４とは反対側の面）に形成されており、本実施形態では、ウレタンアクリレート及びエポキシアクリレートを含む紫外線硬化型樹脂を用いている。なお、凹凸形状部１１は、紫外線硬化型樹脂に限らず、電子線硬化型樹脂等の他の電離放射線硬化樹脂を用いて形成してもよい。また、凹凸形状部１１は、熱可塑性樹脂や熱硬化型樹脂等を用いて形成してもよい。
この凹凸形状部１１の形状の詳細については、後述する。
【００２４】
基材層１２は、凹凸形状部１１や後述の光透過部１４を形成するときに必要な基材となる部分であり、光透過性を有するシート状の部材である。基材層１２は、アクリル樹脂、ポリカーボネート（ＰＣ）樹脂、ポリエチレンテレフタレート（ＰＥＴ）樹脂等の樹脂製のシート又はフィルム状の部材を用いて形成されている。
本実施形態の基材層１２は、ポリエチレンテレフタレート（ＰＥＴ）樹脂を用いて形成されている。なお、この基材層１２には、必要に応じて所定の透過率に減じさせるようなグレー等の染料や顔料等で着色（ティント）が施されていてもよい。
【００２５】
樹脂層１３は、光透過部１４と光吸収部１５とを有する層であり、基材層１２の背面側（裏面側）に設けられている。
光透過部１４は、光透過性を有し、図１に示す断面において、背面側における幅より映像源ＬＳ側における幅の方が広い略台形形状であり、スクリーン面に沿って（図１では、垂直方向に）複数配列されている。
本実施形態の光透過部１４は、ウレタンアクリレート及びエポキシアクリレートを含む紫外線硬化型樹脂（屈折率１．５４）を用いて形成されている。なお、光透過部１４は、紫外線硬化型樹脂に限らず、電子線硬化型樹脂等の他の電離放射線硬化樹脂や、所定の波長の光が照射されることによって効果する光硬化型樹脂等を用いて形成してもよい。
また、光透過部１４は、アクリル樹脂、ＰＥＴ樹脂等の熱可塑性樹脂を用いて、熱溶融押し出し成形によって形成してもよい。なお、光透過部１４を熱溶融押し出し成形で形成する場合には、基材層１２を設けない形態としてもよい。
【００２６】
光吸収部１５は、隣り合う光透過部１４の間の谷部分に形成された光を吸収する作用を有する部分であり、図１に示すように、光透過部１４と光吸収部１５とは、スクリーン面に沿って垂直方向に交互に配列されている。光吸収部１５の屈折率は、光透過部１４の屈折率に比べて小さい。
本実施形態の光吸収部１５は、光を吸収する微小ビーズとして、平均粒径が約６μｍである黒色顔料を含有する光吸収粒子を含有する紫外線硬化型樹脂（例えば、ウレタンアクリレート、エポキシアクリレート、トリプロピレングリコールジアクリレート、メトキシトリエチレングリコールアクリレート等、屈折率１．４９程度）をワイピング（スキージング）し、硬化させることにより形成されている。この紫外線硬化型樹脂は、光透過部１４より屈折率が小さい。
なお、本実施形態では、黒色顔料を含有する光吸収粒子の平均粒径を約６μｍとしたが、平均粒径は、１〜１０μｍ程度とすることが好ましい。それよりも小さいとワイピングによるかきとりが難しくなり、１０μｍを超えると光透過部１４の間の隙間への充填が困難になるからである。
【００２７】
本実施形態の光透過部１４及び光吸収部１５は、図１に示すように、垂直方向での断面形状が垂直方向（光透過部１４及び光吸収部１５の配列方向）において対称な形状であるものとしたが、非対称な形状としてもよいし、配列方向に沿って光透過部１４と光吸収部１５との界面とスクリーン面の法線方向とがなす角度が徐々に又は段階的に変化する形状等としてもよい。また、光透過部１４の形状は、曲面と平面とを組み合わせた形状としてもよい。
本実施形態の光透過部１４の厚さは、１２０〜１８０μｍである。また、本実施形態の光透過部１４間の谷部となる光吸収部１５は、その頂角が９°であり、その頭頂部は２μｍの幅を持つ平面となっている。さらに、光吸収部１５の高さ（スクリーンの厚み方向における寸法）は、１１７μｍであり、光吸収部１５の最も反射層１６側の幅は、３９μｍであり、光吸収部１５の配列ピッチは、６５μｍである。
【００２８】
反射層１６は、映像光を反射して映像源ＬＳ側（観察者Ｏ側）へ戻す層である。本実施形態の反射層１６は、反射スクリーン１０の裏面（樹脂層１３の背面）全体を覆うように、高反射性を有する白色塗料をグラビアコーティングすることにより形成され、その膜厚は、約２０μｍである。また、使用した白色塗料の反射率は、全光線の反射率がＲｔ＝８３％、拡散反射率が７２％である。
なお、反射層１６の形成方法としては、グラビアリバースコート、スクリーン印刷、インクジェット方式による塗布、蒸着（アルミニウム、銀、クロム等、反射率の高い金属を用いることが望ましい）等の形成方法を用いることができる。
また、反射層１６の形成に使用する塗料としては、例えば、塗装後の表面がマットとなるつや消しの白色塗料、塗装後の表面の映り込みの大きい（テカリの強い）グロス白系の塗料、銀色系（メタリック）の塗料、マイカ（雲母）やビーズを適宜混入させた塗料等を使用してもよい。これらを適宜使い分けることにより、観察領域や輝度、光源の映り込み防止効果等を制御できる。
【００２９】
裏面保護層１７は、反射スクリーン１０の最も背面側に設けられた層であり、反射スクリーン１０の裏面を保護する層である。裏面保護層１７は、ＰＥＴ樹脂等のシート状の部材等を用いてもよいし、反射スクリーン１０の反射層１６の背面側に紫外線硬化型樹脂を塗布して紫外線を照射して硬化させて形成してもよい。
なお、この裏面保護層１７は、黒色の顔料等を含有するシート状の部材を用いたり、黒色の布等を背面側に積層したりする等して光吸収作用を付与することにより、反射スクリーン１０の裏面側からの外光の入射を防止できる。
本実施形態の裏面保護層１７は、黒色の顔料を含有するシート状の部材を用いている。
【００３０】
凹凸形状部１１の形状について説明する。
図２は、本実施形態の凹凸形状部１１を示す図である。図２（ａ）は、凹凸形状部１１を、共焦点レーザ顕微鏡（ＫＥＹＥＮＣＥ社製  ＶＫ−８５００／８５１０）を用いて反射スクリーン１０のスクリーン面の法線方向から一部を拡大して撮影した顕微鏡写真である。図２（ｂ）は、顕微鏡写真を分析し、凹凸形状部の表面形状を３Ｄ表示した図である。
図２に示すように、凹凸形状部は、微細な凸形状１１１が、略一様な分布密度で互いに隣接しながら不規則に複数形成されている。この凸形状１１１は、少なくとも一部が略球形の一部形状である曲面を有し、その曲面の曲率半径が略一定となっている。そして、凸形状１１１は、図２に示すように、スクリーン面の法線方向から見た外形の大きさや形状、高さがそれぞれ不規則に異なっているが、その差は小さい。本実施形態の凸形状１１１は、スクリーン面の法線方向から見た外形の径は約０．５〜４．０μｍの範囲内（平均約２．０μｍ）であり、高さ（基材層１２の映像源ＬＳ側の表面から凸形状の頂点までの高さ）は１１０〜１２０μｍ（平均１１５μｍ）である。
厚さ１００μｍの透明ＰＥＴシート（東洋紡製Ａ４３００＃１００）を基材層１２とし、紫外線硬化型樹脂（ＤＩＣグラフィックス社製ＵＶＴ−クリア  ＩＴ−０３８）を用いて後述の成形型を用いて凹凸形状部１１を形成した場合、凹凸形状部１１の表面の算術平均粗さＲａ（ＪＩＳ  Ｂ０６０１−２００１  東京精密社製Ｓｕｒｆｃｏｍ  １３０Ａを使用して測定）が、約０．４２〜０．５２μｍであることが好ましい。また、上述の基材層１２に凹凸形状部１１が形成された状態で、全光線透過率が９０％以上であり、ヘイズ値が約６８〜７２％であることが好ましい（いずれも、株式会社村上色彩研究所製ＨＭ−１３０を使用して測定）。
【００３１】
凹凸形状部１１の製造方法等について説明する。
この凹凸形状部１１は、電離放射線硬化樹脂（本実施形態では、紫外線硬化型樹脂）を、その表面に凹凸形状部の逆型を有する成形型（例えば、成形ロール型）に塗布し、その成形型に基材層１２の片面を当て、電離放射線（本実施形態では、紫外線）を照射して硬化させることにより凹凸形状部が形成されている。
この成形型の表面に形成されている凹凸形状部１１の逆型は、略真球形状の粒子を成形型の表面にブラストすることにより形成される。
【００３２】
本実施形態の成形型（成形ロール型）は、その表面が銅材や鉄材等の金属製である。また、ブラストに用いる粒子は、略真球状のガラスビーズであり、＃４００番手の篩にかけたビーズを使用している。このようなガラスビーズを吹き付けることにより成形型の表面に形成される凹形状の深さ（ブラスト前の成形型表面からの窪み）は、平均約２．０μｍであり、凸形状１１１の逆型となる凹形状の径は、平均約１１μｍである。
なお、上記の例に限らず、ブラストに用いる略真球状の粒子は、＃５００番手や＃７００番手のもの等、適宜その番手を選択して用いることができる。しかし、＃８００番手以上の大きな番手の粒子を用いると、ブラストによって得られる型の凹形状が細かくなりすぎ、この型によって形成される凹凸形状部１１の凸形状も微細になりすぎるため、拡散効果が不十分となりホットスポット低減効果が得られない。＃７００番手、＃６００番手、＃５００番手、＃４００番手等のガラスビーズであれば、ホットスポット低減効果を得るに十分な凸形状を有する凹凸形状部が得られる。
【００３３】
また、ガラスビーズではなく、略真球状の鋼球等も用いることができる。しかし、鋼球に比べて、ガラスを用いて形成したガラスビーズの方が、容易に真球状に近い形に加工することができ、コストの低減等の観点から好ましい。さらに、ブラスト圧は、用いるビーズの粒径等の条件に合せて調節することが好ましい。
このような成形型を用いて成形することにより、微細であり、少なくとも一部が略球形の一部形状である曲面を有し、その曲面の曲率半径が略一定な凸形状１１１であって各凸形状１１１の大きさや高さが不規則でありながらそのばらつきの範囲が小さく、凸形状１１１が略均一な分布密度で不規則に複数形成された凹凸形状部１１とすることができる。
【００３４】
本実施形態では、凹凸形状部１１を基材層１２の片面に形成した後に、基材層の他方の面に樹脂層１３（光透過部１４）を、紫外線硬化型樹脂を用いて紫外線成形により形成する。このように、先に凹凸形状部１１を形成することにより、凹凸形状部１１に対して、光透過部１４を形成する際の紫外線も照射することができ、凹凸形状部１１と基材層１２とに紫外線が照射される回数が増える。従って、凹凸形状部１１と基材層１２との密着性を向上させることができる。
【００３５】
本実施形態の反射スクリーン１０における映像光の反射及び外光の吸収について説明する。
図１に示すように、映像源ＬＳから投影される映像光Ｌ１，Ｌ２は、反射スクリーン１０に入射し、凹凸形状部１１や基材層１２を透過し樹脂層１３へ進む。なお、図１では、理解を容易にするために、凹凸形状部１１、基材層１２、光透過部１４の屈折率に差は無いものとして示している。
映像光の一部は、そのまま反射層１６で反射され、観察可能な光線として観察者Ｏ側へ進む。また、映像光の一部は、図１に示す映像光Ｌ１，Ｌ２のように、光透過部１４と光吸収部１５との界面で全反射して反射層１６側へ進み、反射層１６で反射され、再度光透過部１４と光吸収部１５との界面で全反射する等により、観察可能な光線として観察者Ｏ側へ進む。
【００３６】
一方、反射スクリーン１０の上方に設けられた室内照明Ｇ等からの外光Ｇ１，Ｇ２は、反射スクリーン１０（樹脂層１３）に対する入射角度が、映像光Ｌ１，Ｌ２に比べて大きいことから、光透過部１４と光吸収部１５との界面における入射角度が小さくなり、臨界角を超えない成分が多く、多くの光が全反射することなく光吸収部１５に入射し、吸収される。これにより、外光が反射されて観察位置に到達する割合を非常に少なくすることができ、外光によるコントラストの低下を大幅に低減することができる。
【００３７】
ここで、反射スクリーンに凹凸形状部１１を設けない場合、反射スクリーンの映像源ＬＳ側（観察面側）表面は、略平滑面となる。このような反射スクリーンでは、映像源ＬＳから投射された映像光のうち、反射スクリーンの表面で反射して観察者Ｏに到達する光の量が増える。そのため、光源の映りこみ（ホットスポット）が生じやすく、またその強さ（明るさ）も大きいために、画質の低下が生じるうえに、観察者Ｏにとっても映像が観察しにくいものとなる。
【００３８】
そこで、従来、反射スクリーンの映像源ＬＳ側表面に、拡散材等の粒子を含むバインダを塗布してコーティングすることにより、反射スクリーンの映像源ＬＳ側表面に光拡散性を付与し、光源の映りこみを低減する等の対策がなされた反射スクリーン等がある。
しかし、このような従来の反射スクリーンでは、その製法上、拡散材が均一に分布しにくく、拡散材が凝集している部分や拡散材が疎となって略平面状となっている部分が生じてムラになりやすい。そのため、略平面状となっている部分では拡散作用が不十分であり、光源の映り込み（ホットスポット）を十分に低減できない。
また、拡散材が凝集している部分では、外光が一部が乱反射される等して観察者Ｏ側へ到達したり、コントラストの低下を招く場合がある。さらに、拡散材が凝集している部分では、外光が様々な方向に屈折して拡散され、反射スクリーンの内部に入射した場合に、光吸収部１５と光透過部１４との界面に対して臨界角を超えない角度で入射して光吸収部１５で十分に吸収されず、反射層で反射される等して観察者Ｏ側へ戻り、コントラストの低下を招く場合があるという問題があった。
そのため、反射スクリーンの観察面側に、微細な凹凸形状を紫外線成形等により賦形することにより、コントラスト向上や光源の映りこみ低減等を図ることが考えられる。
【００３９】
図３は、本実施形態の凹凸形状部１１、及び、従来例の１つであるサンドブラスによる凹凸形状部５１のスクリーン面に直交する方向での断面の一部を拡大して示した図である。
サンドブラストによる凹凸形状部５１は、その表面にサンドブラストを行った成形型を用いている点以外は、本実施形態の凹凸形状部１１と同様の製造方法で製造されている。この凹凸形状部５１は、その表面に砂等をブラストして凹凸形状部５１の逆型が形成された成形型を用いて形成されており、ブラストに用いた砂は、略多面体状等や略楕円球状等であり、略真球形状のものは殆ど含まれていない。
【００４０】
サンドブラストによる凹凸形状部５１の凸形状５１１は、図３（ｂ）に示すように、本実施形態の凸形状１１１に比べてその頂部が鋭角的であり、曲面や略球形の一部形状となるような部分が非常に少なく、略平面によって形成されている。また、凹凸形状部５１は、本実施形態の凹凸形状部１１に比べて、凸形状５１１の大きさのばらつきが大きい。さらに、図３（ｂ）に示すように、凹凸形状部５１は、高い凸形状５１１と低い凸形状５１１との差が大きく、凸形状５１１の高さにも大きなばらつきがある。これは、サンドブラストに用いる粒子が、主として多角形状の砂であり、その形状が真球ではないことに起因する。
【００４１】
これに対して、本実施形態の凹凸形状部１１の凸形状１１１は、図２や図３（ａ）に示すように、略半球状等、比較例の凹凸形状部５１の凸形状５１１に比べて丸みを帯びた凸形状となっており、その大きさや高さは不規則であるが、際立って大きいものや高いものがなく、凝集等の偏り等も見られない。従って、本実施形態の凹凸形状部１１は、比較例の凹凸形状部５１に比べて、滑らかな粗面となっているといえる。これは、成形型に対して略真球状のガラスビーズをブラストしていることに起因する。
【００４２】
この本実施形態の凹凸形状部１１とサンドブラストによる凹凸形状部５１とを、それぞれ基材層１２の観察面側に形成した反射スクリーン（本実施形態の反射スクリーン１０、サンドブラストによる凹凸形状部５１を備える反射スクリーン５０）を用意し、その反射スクリーンに表示される映像を評価した。
図４は、本実施形態の反射スクリーン１０及びサンドブラストによる凹凸形状部５１を備える反射スクリーン５０を示す図である。図４においては、それぞれ反射スクリーンの垂直方向における断面を示しており、図４（ａ）は、本実施形態の反射スクリーン１０を示し、図４（ｂ）は、サンドブラストによる凹凸形状部５１を備える反射スクリーン５０を示している。
本実施形態の反射スクリーン１０及びサンドブラストによる凹凸形状部５１を備える反射スクリーン５０に対して、明室環境下で映像源ＬＳから映像光を投射して、その映像を目視により評価した。
【００４３】
サンドブラストによる凹凸形状部５１を備える反射スクリーン５０では、光源の映りこみ（ホットスポット）は低減されているが、凸形状５１１により照明光等の外光が観察者側へ反射される光量が増え、このような外光によるコントラストの低下が生じており、画質が著しく低下していた。
サンドブラストによる凹凸形状部５１を備える従来例の反射スクリーン５０は、図４（ｂ）に示すように、反射スクリーン５０の上方から観察面側へ到達する外光Ｇ３は、一部の光Ｇ６が凹凸形状部５１に入射して基材層１２や光透過部１４を透過し、光吸収部１５に入射して吸収される。また、一部の光Ｇ７は、凹凸形状部５１で反射して反射スクリーン５０の下方へ進む。
【００４４】
しかし、凹凸形状部５１は、その凸形状５１１が鋭角的なものが多く、また凸形状５１１の大きさや高さのばらつきが大きく粗いため、反射スクリーン５０の映像源ＬＳ側表面に到達した外光Ｇ３の多くは、様々な方向に反射又は屈折される。そして、一部の光Ｇ８は凹凸形状部５１から反射スクリーン５０内に入射し、光透過部１４を透過して反射層１６で反射して観察可能な光線として観察者Ｏ側に進む。また、一部の光Ｇ９は、凹凸形状部５１の表面で拡散反射されて、観察可能な光線として観察者Ｏ側へ進む。このような外光Ｇ８，Ｇ９の光量は、前述の外光Ｇ６，Ｇ７に比べて多く、このような外光Ｇ８，Ｇ９により、反射スクリーン５０では、コントラストの低下が生じていた。
【００４５】
これに対して、本実施形態の反射スクリーン１０では、外光等によるコントラストの低下もなく、また、光源の映りこみ（ホットスポット）もなく、明室環境下において良好な映像が得られた。
本実施形態の反射スクリーン１０は、図４（ａ）に示すように、凹凸形状部１１が一部に略球形の一部形状を有する丸みを帯びた凸形状が不規則に多数並んで形成されている。そのため、反射スクリーン１０の上方から観察面側へ到達する外光Ｇ３は、その凹凸形状部１１（凸形状１１１）の形状により、一部の光Ｇ４が凸形状１１１の空気との界面で屈折して基材層１２や光透過部１４を透過し、光吸収部１５に入射して吸収される。また、残りの外光の多く（光Ｇ５）は、凸形状１１１の空気との界面で反射し、反射スクリーン１０の下方へ進む。即ち、外光Ｇ３の多くが反射スクリーン１０の表面（凹凸形状部１１）で正反射して観察者Ｏにとって観察不可能な方向（反射スクリーン１０の垂直方向下方）へ進む傾向を示す。これにより、本実施形態の反射スクリーン１０では、観察者Ｏ側へ観察可能な光として反射される外光を低減し、明室環境下でのコントラストを向上することができる。
従って、本実施形態の凹凸形状部１１は、ホットスポットの防止と、明室環境下でのコントラストの向上という効果を有している。
【００４６】
また、本実施形態では、ガラスビーズを用いてブラストを行い、成形型を作製しているので、ガラスビーズの粒径を自由に変更することができる。ここで、ガラスビーズの平均粒径が本実施形態の場合に比べてより小さいものを用いて作製した成形型を用いて凹凸形状部を形成した場合、その凸形状の径はより小さいものとなり、外光によるコントラストの低下（黒浮き）や光源の映りこみ（ホットスポット）を低減する効果に加えて、シンチレーション（映像のぎらつき）を低減する効果も得られる。
従って、シンチレーションの生じやすい高輝度の投影機等を映像源として用いる反射スクリーンを製造する場合には、ガラスビーズの粒径を小さいものを選択することによりシンチレーション低減効果も備える凹凸形状部を容易に形成することができ、所望する光学特性や使用環境等に応じて最適な凹凸形状部を容易に作製できる。
また、ブラストにガラスビーズを用いているので、略真球状の形状を形成しやすく、その製造コストも鋼球や砂等に比べて低く抑えることができる。
【００４７】
以上述べたように、本実施形態によれば、映像源の映りこみ（ホットスポット）がなく、明室環境下でのコントラストが良好な反射スクリーン及び映像表示システムとすることができる。
また、本実施形態によれば、略真球状のガラスビーズをブラストすることにより凹凸形状部の逆型が成形型に賦形されており、その成形型を用いて凹凸形状部１１が賦形されるので、特殊なビーズ等を用いなくても成形型を作成することができるので、生産コストを抑えることができる。
さらに、成形型のブラストするガラスビーズの粒径を変えることにより、凹凸形状部１１の凸形状１１１の大きさ等を容易に変更でき、拡散作用の調整等も容易である。しかも、粒径が小さいものを用いた成形型によって凹凸形状部１１を形成した場合には、上述のようにシンチレーション低減効果も得られる。
【００４８】
加えて、本実施形態の反射スクリーン１０は、光吸収部１５と光透過部１４とを備えているので、反射スクリーン１０の主に上方から入射する外光を効率よく光吸収部で吸収することにより、明室環境下における外光によるコントラストの低下を防止する効果を有する。また、光吸収部１５と光透過部１４との界面で正面方向（スクリーン面の法線方向）に対して角度をなす映像光であっても全反射して観察者Ｏ側へ戻すことができ、映像の輝度向上効果を奏することができる。
【００４９】
（第２実施形態）
図５は、第２実施形態の反射スクリーン２０の層構成を示す図である。
第２実施形態の反射スクリーン２０は、樹脂層１３を備えず、基材層１２の背面側に反射層１６を備える点が異なる以外は、前述の第１実施形態の反射スクリーン１０と略同様の形態である。従って、第１実施形態と同様の機能を果たす部分には、同一の符号又は末尾に同一の符号を付して、重複する説明を適宜省略する。
反射スクリーン２０は、観察面側から順に、凹凸形状部１１、基材層１２、反射層１６、裏面保護層１７等を備えている。基材層１２は、拡散材を含有し、光拡散作用を有していてもよい。この反射スクリーン２０は、映像源から投射された映像光を反射させて表示する映像表示システムに用いられる。
本実施形態によれば、前述の第１実施形態に示した映像源の映りこみ（ホットスポット）低減等の効果に加えて、製造が容易に行え、生産コストを低減できる。
【００５０】
（変形形態）
以上説明した実施形態に限定されることなく、種々の変形や変更が可能であって、それらも本発明の範囲内である。
（１）各実施形態では、反射層１６の映像源側の面（反射面）が略平面状である例を示したが、これに限らず、例えば、樹脂層１３と反射層との間に賦形層を設け、反射層の映像源側の面（反射面）に形状を賦してもよい。
図６は、変形形態の反射スクリーン３０を示す図である。図６は、変形形態の反射スクリーン３０を背面側から見た斜視図であり、裏面保護層１７を省略して示している。
変形形態の反射スクリーン３０は、反射層３６と樹脂層１３との間に賦形層３８を備えている点以外は、第１実施形態の反射スクリーン１０と略同様の形態であり、映像源ＬＳ側から順に、凹凸形状部１１、基材層１２、樹脂層１３、賦形層３８、反射層３６、裏面保護層１７等を備えている。凹凸形状部１１、基材層１２、樹脂層１３等については、前述の本実施形態と同様であるので、詳細な説明は省略する。
【００５１】
賦形層３８は、背面側の表面に、単位レンズ形状３７１（単位表面形状）が配列されたレンチキュラーレンズ形状を有している。単位レンズ形状３７１は、背面側に凸となる楕円柱形状の一部形状であり、この単位レンズ形状の長手方向を垂直方向とし、水平方向に複数配列されている。従って、水平断面の形状が、同一形状を保って垂直方向に延在している。この賦形層３８は、アクリル樹脂やＰＥＴ樹脂等の熱可塑性樹脂により形成されている。
反射層３６は、賦形層３８の背面側、即ち、単位レンズ形状３７１の表面に設けられており、反射面は、レンチキュラーレンズ形状に沿った形状となっている。この反射層３６は、例えば、高反射性を有する塗料等をスプレー塗布する等により形成されている。なお、反射層３６を形成する材料は、前述の本実施形態の反射層１６と同様に、白色塗料や銀色系（メタリック）の塗料等を適宜選択して用いてよいし、その形成方法も、グラビアリバースコート、スクリーン印刷等としてもよい。また、反射層３６は、アルミニウム、銀、クロム等の金属を蒸着することにより形成してもよい。
【００５２】
このように、反射層３６の映像源ＬＳ側の表面をレンチキュラーレンズ形状とすることにより、反射面における水平方向の拡散作用を垂直方向の拡散作用に比べて大きくすることができる。従って、水平方向の視野角を広げることができる。また、賦形層３８の背面側の形状によって反射面の形状を制御できるので、水平方向における視野角制御をより細かく制御できる。この賦形層３８及び反射層３６は、第２実施形態においても適用可能である。
なお、反射スクリーン１０を用いる環境等に応じて、単位レンズ形状３７１の配列方向は、垂直方向としてもよいし、水平方向に対して角度をなす方向としてもよい。
【００５３】
図７は、賦形層の一例を説明する図である。図７は、各賦形層のスクリーン面に直交し、水平方向に平行な断面を示しており、図７（ａ）〜（ｄ）の各図において、図中上側は映像源ＬＳ側であり、図中下側は背面側である。
賦形層３８は、レンチキュラーレンズ形状に限らず、下記のような形態としてもよい。
例えば、図７（ａ）に示すように、背面側の表面に形成される単位表面形状が、略正弦波形状としてもよいし、図７（ｂ）に示すように、曲率が異なる２つの曲面からなる形状としてもよい。また、図７（ｃ）に示すように、水平方向において非対称な形状としてもよいし、図７（ｄ）に示すように、平面と曲面とを組み合わせた形状としてもよい。
賦形層３８の背面側の形状を適宜選択することにより、光源の位置や観察位置等に応じて、水平方向における拡散性をより好ましいものとすることができる。例えば、図７（ｃ）に示す形状の場合、水平方向における拡散性は、指向性の強いものとすることができる。
【００５４】
（２）第１実施形態では、光透過部１４の背面側の面は、略平面である例を示したがこれに限らず、例えば、垂直方向に細かい筋目を形成してもよい。このような形態とすることによっても、水平方向への拡散性を高め、水平方向における視野角を広げ、映像が見える範囲を広げることができる。
【００５５】
（３）第１実施形態では、光吸収部１５は、光を吸収する黒色顔料を含み、光透過部１４より屈折率が小さい樹脂を用いて形成される例を示したが、これに限らず、例えば、光透過部の間に、光を吸収する作用を有する黒色ビーズを満遍なく充填することにより形成してもよい。このとき、光吸収部１５よりも裏面側に黒色ビーズを固定するためのフィルム等の保護層を設けるとよい。このようにして光吸収部１５を形成すると、光吸収部内の黒色ビーズが存在しない隙間は、空隙となっており、光吸収部１５が容易に変形することが可能となり、反射スクリーンを巻き上げ式とするような場合には、必要な柔軟性を得ることができる。また、光吸収部１５は、黒色インキ等を光透過部１４の斜面に塗布又は光透過部１４間に充填して形成してもよい。
【００５６】
（４）第１実施形態では、基材層１２は、１層である例を示したが、これに限らず、例えば、観察面側の面に凹凸形状部１１を形成した観察面側基材層と、背面側の面に樹脂層を形成した樹脂層側基材層とを接着剤等により接合する形態としてもよい。
【００５７】
（５）各実施形態では、固定式の反射スクリーンの例を挙げて説明したが、これに限らず、例えば、不使用時に巻き上げて収納可能な巻き上げ式としてもよい。
【００５８】
（６）各実施形態では、凹凸形状部１１が最も観察面側に配置される例を示したが、これに限らず、例えば、凹凸形状部１１のさらに観察面側に、帯電防止処理、ハードコート処理、防汚処理の少なくとも１つの処理を凹凸形状部１１の表面形状に沿って施してもよい。そうすることにより、凹凸形状部１１の機能を保ったまま帯電防止、ハードコート、防汚の機能を追加することができる。
【００５９】
（７）第１実施形態において、光透過部１４及び光吸収部１５は、水平方向に同一断面形状で延在し、垂直方向に多数並んでいる例を示したが、これに限らず、例えば、外光及び映像光の位置に応じて、樹脂層１３をその法線方向を軸として９０度回転した形態としてもよい、また、光透過部１４及び光吸収部１５を有する樹脂層１３を２層設けて、互いに直交するように配置し、垂直方向及び水平方向における外光吸収効果及び視野角向上効果を図ってもよい。
【００６０】
（８）第２実施形態において、樹脂層１３を備えない形態を示したが、これに限らず、光拡散作用を有する光拡散層を基材層１２と反射層１６との間にさらに備える形態等してもよい。光拡散層を備える場合、この光拡散層は、例えば、拡散材を含有した透明又は半透明のシート状の部材を用いてもよいし、適宜自由に選択して用いてよい。
【００６１】
なお、本実施形態及び変形形態は、適宜組み合わせて用いることもできるが、詳細な説明は省略する。また、本発明は以上説明した実施形態によって限定されることはない。
【符号の説明】
【００６２】
１０，２０    反射スクリーン
１１    凹凸形状部
１１１    凸形状
１２    基材層
１３    樹脂層
１４    光透過部
１５    光吸収部
１６    反射層
１７    裏面保護層
【図１】
0005630076.tif 000002
【図３】
0005630076.tif 000003
【図４】
0005630076.tif 000004
【図５】
0005630076.tif 000005
【図６】
0005630076.tif 000006
【図７】
0005630076.tif 000007
【図２】
0005630076.tif 000008